(57)【特許請求の範囲】
【請求項１】
標石埋用鋏状尺の鉛直桿Ｗ′の先端に固着する部材Ａ−１と、その廻りに回転し得る部材Ａ−２と、Ａ−２に固着して鉛直に下る部材Ｂと、Ｂの先について仮杭の釘に引懸る、部材Ｃとよりなり、Ｃは二股鍬の如く切込Ｄを有し、Ｄの先はＶ字型の屈曲部に達し、切込の奥は、鉛直桿Ｗ′の中心の鉛直下に位置する如くなしたる、Ｖ型爪。
【請求項２】
水平桿Ｓ及びＴの両者を統合する蝶番Ｗと、Ｓ及びＴにスライドするスライド器具Ｄ１とＤ２とを備え、Ｄ１を通る鉛直桿Ｓ′と、Ｄ２を通る鉛直桿Ｔ′を備え、蝶番Ｗを通る鉛直桿Ｗ′を備えたる、標石埋用鋏状尺において、水平桿Ｓ上をスライドするスライド器具Ｄ３を新に設け、水平桿Ｓ及びＴの蝶番Ｗによる結合を已めて、Ｗをスライド器具Ｄ３に附着して、Ｓ及ＴはＳ上をスライドするＤ３に於て回転的に結合せしめ、元の鉛直桿Ｗ′に代って鉛直桿Ｗ′１を設け、Ｄ３を間にしてＤ１と反対側に水平桿Ｓ上にスライドする、スライド器具Ｄ４を設け、これを通して上下する鉛直桿Ｗ′２の先によって標石点を示させる如き標石埋用鋏状尺。
【請求項３】
前請求項２において、スライド器具Ｄ１とＤ４の略中間に、スライド器具Ｄ３をおき、Ｄ３につけた蝶番を固定し、水平桿Ｔを極短に又は廃したる如き、標石埋設の補助器具。
【請求項４】
標石埋設用の穴の輪郭を、穴の掘穿前に地面に図示する為、標石埋用鋏状尺の鉛直桿Ｗ′、又はＷ′２の先端を通して標石点の予定位置を示す、孔Ａ又は孔Ｂを備え、孔Ａ又は孔Ｂを拠点として埋設用穴の輪郭を示す、溝孔Ｒ１或はＲ２を備える、穴の掘穿作業を補助する補助プレート。
【請求項５】
標石の模型Ａの先に角筒型の刃Ｂを備えたる、穴の形及傾斜を修正する、標石埋用補助器具の刃Ｂ。
【請求項６】
標石の模型のＡの先に部材Ｃを具へ、Ｃの下面にその半分には放射状に、残りの半分には円弧状の凸起を備えたる標石埋用補助器具の刃Ｃ。
【発明の詳細な説明】
【００１】
本発明は実願平成５年０７７０８０号石埋め用鋏状尺の使用に際しその効果をより大きく、又補助するためのものである．
【０００２】
在来技術の標石埋用鋏状尺を再掲すれば  図１のごとくである。この鉛直桿の一つＷの先を木の仮杭上の釘の根元に当てがふ際には、状態が甚だ不安定である。図２の如きＶ字型の爪を、釘の根本に搦めて、Ｗ′の先を安定させるために、図２のＡは鉛直桿Ｗの先に固着して自ら回転軸となるＡ−１と、その周りに回転し、    且つ位置を固定する止めネヂを有するＡ−２とよりなり、Ａ−２  に固定して鉛直に下る直線の部材Ｂと、Ｂの先につくＶ字型の爪Ｃを具へ、Ｃの先は二股鍬のごとく溝Ｄを有し、Ｄの行先はＶ字の屈曲点にまで到り、釘の根本に搦めた後、孔ＥにピンＦをとおして、安定させ、この屈曲点は鉛直桿の中心先上、或は言いかへれば、鉛直桿の先端の直下にくるごとくなす。
作業者は、Ｗ′の先を  Ｖ字型爪で安定させてから、水平桿Ｓ及Ｔの水平を取れば  作業は容易である。
【００３】
在来の１図の石埋用鋏状尺の一つの水平桿Ｓを引延して図３−１のＳのごとくなし、第３のスライド器具Ｄ３に蝶番図３−１のＷを着け、第四のスライド器具図３−１のＤ４を上記延長した水平桿Ｓの延長部分にはめて第二の鉛直桿Ｗ２′を操作するごとくなした。この機能は、通常の地形の所で仮杭があるのではなく崖下に仮杭があるごときケースに、崖上から位置を設定するに役立つ．それは、崖の上に図３−１の第４のスライド器具Ｄ４をつき出して下げ振りを降せるからである．この型で特徴的な機能はスライド器具Ｄ４にレーザ光源又は望遠鏡を取付けることである。光学器機の大きさに応じてスライド器具Ｄ４の強さ、大きさを特に調へることができることである。レーザ光源の着け方は図３−２に、望遠鏡のつけ方は図３−３に示す。
【００４】
図３−２のＬＡはレーザ光源でＤ４はその大きさ、重さ、及光軸の妨げにならぬ様調へられたスライド器具である．ＨＦはハーフ・ミラで標石予定点よりの反射光を横に反射する。Ｍ１及Ｍ２は、フル・ミラで、接眼レンズＥＬまで反射光を導く．接眼レンズＥＬは、作業者の方からみえるごとく、像の大きさ及方向を調へられる．光軸上、ＬＡの上部にトランシットよりの測量に備へて反射器Ｋをつける．
【００５】
図３−３のＳＣは望遠鏡でＭはフル・ミラで接眼レンズの方向に反射像を導く。
【００６】
図３−１の水平桿Ｔをまわして水平桿Ｓに直角にし蝶番Ｗの回転を止めれば図４−１の示すＴ型の鋏状尺となる．
Ｔ型の実施例は標石位置が非常に入りくんだ所で通常の標石が中央に丸穴を以て標石点を示すに対し角にむけて矢印をつけるとか、更に狭い所では鉄の小型の鋳物を埋めるケースである．図４−１の鉛直桿Ｓ′とＷ２′とを照応点Ａ，Ｂにあて、鉛直桿Ｔ′の先を標石予定点にあわせる．
【００７】
前述Ｔ型鋏状尺の水平桿Ｔを除去するか極端に短くした一文字型鋏状尺又は舗装した道路脇に埋石する際に便利である．図４−２に於て鉛直桿Ｓ′及Ｗ２′の位置を固定しモールド化し水平桿Ｔの角度を直角に蝶番Ｗもモールド化しＴは着脱しうるごとくなす．舗装した道路脇も亦舗装されてゐるから、この一文字型の鉛直桿図４−２のＷ１′を標石予定点につけ鉛直桿Ｓ′とＷ２′との先端には赤ペンキで×点を埋石用穴の周囲より遠い所につける．水平桿Ｓに載せた水準器図４−２のＨＶによって鉛直桿Ｓ′及Ｗ２′の鉛直度をみる．
【００８】
上記一文字型は公共測量等長い道路の舗装工事を了へた後の標石埋工事に小型軽便であるから土工（作業者）一人々々に一ケ宛持たせれば全くの自己ペースで石埋めをすゝめ得る．在来はトラバーの光波トランシットからの指示によって一々の石の最終的位置調整を行ってゐたが、土工一人の作業で進められる．
【００９】
【補助プレート】
石埋めの穴掘にはスコップを入れる位置が標石の周りに等分に亘り最小限度の面積でなければならず、中心がズレたり広すぎたり、狭くて二度掘りする等は一本一本の手間が累積して非常なロスになる。この輪郭を示す為の補助プレートは図５のごとく標石点を示す鉛直桿の先にはめる孔Ａ或は、Ｂを設ける．石の輪郭は補助線Ｃで示される。これを囲んで溝孔Ｒ１があけてあり、こゝよりペンキを吹きつけて地面にスコップを入れる線を描く．図５の溝孔Ｒ２は楕円型で傾斜面にむけたものである。
【０１０】
【矯正杭】
石埋め穴は図６−１のごとく側壁が凸起が残って滑らかでない。又地面が斜めの時は眼の錯覚から斜め穴になり勝ちである。図６−２のごとし．実際の石を出し入れして、試みて見てはスコップで矯正するのでは、重く且能率が悪い．本器具は、この穴の形を鉛直且滑らかな側壁になすもので又底が水平になって標石を入れて垂直に立つごとくなすための矯正器具である．
【０１１】
本器具の全体は図７−１の示すごとく木材又は軽い部材で本体Ａをなし底部に特殊の形状の金属部材図７−１のＢ又はＣを取付ける。全体の長さは使用せんとする標石の長さｌより余分に長くとり、上部余分長の所には左右に把手Ｄを設けて操り易くする．この上部は平面にして水準器ＨＶをのせストンストンと穴の中を上下させ乍ら鉛直の姿勢を保てるか否かを検視する．従って全体は長さは石の長さより余分長丈長くとるが、太さ形状は実物大の同型とする．
【０１２】
上記模型杭の底部に着ける底面の部材の中Ｂは側壁のでっぱりを矯正するもので図７−２のごとく四角い筒のごとく木材部にはめこみその先は鋼鉄の刃をつけて、穴の側壁を削る。ストン、ストンと上下させて余分の出張りを削りおとし、底面に溜った土をかき出した後、部材Ｃにとりかへて穴の底を水平面にする。
【０１３】
上記部材Ｃは木部（図７−１のＡ）の底面にとりつけた鋼材で、断面図示の凸起を、半分には放射状に、他の半面には図７−３のごとく円弧状に配置する．ストンと穴に矯正杭を入れて傾きで高い方を知り、放射部分（上部に色分けすると便利である）を高い方にむけておき、把手でクルクルとまはすことによって土砂を低い方に掻きよせる．傾きがなくなった段階で標石を入れて土砂を入れる．尚放射部円弧部は図示三角形の他種々の形をとり得る。
【０１４】
図３−１改変型鋏状尺にレーザ光源を鉛直桿の代りに用ゐたが、この投射光源を１８０°まわして上部に（標石点の代りに）点を設定することができる。大きな建物の床の特定点と、その鉛直線上の天井の特定点の設定をなすごとく建築業界にあっても、利用価値がある．
【図面の簡単な説明】
【図１】先願実願平成５年０７７０８０号の石埋め用鋏状尺の構成を示す再掲図である．
【図２】標石埋用鋏状尺の鉛直桿の先につけるＶ字型爪を示す．
【図３】本件出願の標石埋用鋏状尺の構成図である．図３−１．は、その本体の構成を示す．図３−２及図３−３は延長した水平桿のスライド器具に着けた光学装置の着装の概念図である．
【図４】鋏状尺を改良した一文字型の標石埋用補助器具である。
【図５】標石埋用鋏状尺の鉛直桿の先にはめて標石の位置と穴を掘削する輪郭とを示す補助プレートである。
【図６】標石を埋める為の穴の掘削の現れやすい穴の不正確さを示す。
【図７】図６の穴の不整形を矯正する標石模型の構成を示す．図７−１はその全体図、図７−２はその先に着ける金具の構造で穴の側壁を削るもの、図７−３は同じく先につける金具で穴の底の土砂を水平にならすものである。
【符号の説明】
図１について
Ｓ，Ｔ，    水平桿
Ｗ          蝶番
Ｄ１    第一のスライド器具
Ｄ２    第二のスライド器具
Ｄ３    第三のスライド器具
Ｓ，Ｔ′，Ｗ′  鉛直桿
図２について
Ａ−１      鉛直桿に固着させる部材
Ａ−２      Ａ−１のまわりに回転する部材
Ｂ          Ａ−２につながり鉛直に延びる直線の部材
Ｃ          Ｂの先につながりＶ字型爪の主体をなす部材
Ｄ          Ｃの先の二股の切込み溝
Ｅ          Ｄを横断貫通するピン孔
Ｆ          Ｅに挿しこむピン
図３について
Ｓ，Ｔ      水平桿
Ｗ          蝶番
Ｄ１，Ｄ２，Ｄ３，  夫々第一，第二，第三のスライド器具
Ｄ４    第四のスライド器具
Ｓ′，Ｔ′，Ｗ１′，Ｗ２′  夫々鉛直桿
ＬＡ        レーザ光源
ＨＦ        ハーフ・ミラ
Ｍ          フル・ミラ
ＥＬ        接眼レンズ
Ｚ′        標石点
Ｋ          反射鏡
ＳＣ        望遠鏡
図４について
Ｓ，Ｔ      水平桿
Ｓ′，Ｗ１′，Ｗ２′  夫々鉛直桿
ＨＶ        水準器
図５について
Ａ          矢印標石使用時の鉛直桿を通す孔
Ｂ          中央点標石使用時の鉛直桿を通す孔
Ｃ          標石の輪郭を示す補助線
Ｒ１        掘削する穴の輪郭を指示する溝孔で水平地面に対応するもの
Ｒ２        Ｒ１と同用の溝孔で斜面に対応するもの
図７について
Ａ          標石模型の本体木部
Ｂ          Ａにつける金属部材で穴の側壁を削り滑にする金属部材
Ｃ          Ａにつける穴の底面を平坦水平にする金属部材
Ｄ          Ａの上部につける把手
ＨＶ        Ａの上面につける水準器
Ｅ          部材Ｂの刃
Ｆ          木材部Ａにボルトを貫通して固着する孔
Ｇ          部材Ｃの底の波型の突起部
【図１】
0003601000.tif 000002
【図２】
0003601000.tif 000003
【図３】
0003601000.tif 000004
【図４】
0003601000.tif 000005
【図５】
0003601000.tif 000006
【図６】
0003601000.tif 000007
【図７】
0003601000.tif 000008